(57)【要約】【課題】  携帯電話装置に関し、留守番電話機能実行中に外部より特定操作を行うことにより、音の鳴動を行い、携帯電話の在処を捜索者に知らせることに役立つことを課題とする。【解決手段】  着呼処理開始（Ｓ３００）から所定時間呼び出した後に（Ｓ３２０）、相手側端末から入力したＤＴＭＦ［Ｄｕａｌ  Ｔｏｎｅ  Ｍｕｌｔｉ  Ｆｒｅｑｕｅｎｃｙ］信号（トーン信号）が予め指定されている信号パターンと一致するか判定し（Ｓ３４０）、一致する場合に鳴動させる（Ｓ３６０）。信号パターンが一致しない場合には、留守番電話として録音を行う（Ｓ３５０）。【選択図】        図３
2005328335.tif 000002
【特許請求の範囲】
【請求項１】
着呼処理開始から所定時間呼び出した後に、相手側端末から入力したトーン信号が予め指定されている信号パターンと一致するか判定し、一致する場合に鳴動させることを特徴とする携帯電話端末。
【請求項２】
相手側端末から入力したトーン信号が予め指定されている信号と一致しない場合に、留守番電話として録音を行うことを特徴とする請求項１記載の携帯電話端末。
【請求項３】
予め音量別に信号パターンが指定され、
着呼処理開始から所定時間呼び出した後に、相手側端末から入力したトーン信号が予め指定されている各信号パターンと一致するか判定し、一致する場合にその信号パターンに対応する音量に従って鳴動させることを特徴とする携帯電話端末。
【請求項４】
予め音の種類別に信号パターンが指定され、
着呼処理開始から所定時間呼び出した後に、相手側端末から入力したトーン信号が予め指定されている各信号パターンと一致するか判定し、一致する場合にその信号パターンに対応する音の種類に従って鳴動させることを特徴とする携帯電話端末。
【請求項５】
携帯電話端末に、コンピュータとして以下の手順を実行させるためのプログラム
（１）着呼処理開始から所定時間呼び出した後に、相手側端末から入力したトーン信号が予め指定されている信号パターンと一致するか判定する手順
（２）一致する場合に鳴動させる手順。
【請求項６】
予め音量別に信号パターンが指定されている携帯電話端末に、コンピュータとして以下の手順を実行させるためのプログラム
（１）着呼処理開始から所定時間呼び出した後に、相手側端末から入力したトーン信号が予め指定されている各信号パターンと一致するか判定する手順
（２）一致する場合にその信号パターンに対応する音量に従って鳴動させる手順。
【請求項７】
予め音の種類別に信号パターンが指定されている携帯電話端末に、コンピュータとして以下の手順を実行させるためのプログラム
（１）着呼処理開始から所定時間呼び出した後に、相手側端末から入力したトーン信号が予め指定されている各信号パターンと一致するか判定する手順
（２）一致する場合にその信号パターンに対応する音の種類に従って鳴動させる手順。
【発明の詳細な説明】
【技術分野】
【０００１】
本発明は、携帯電話装置に関する留守番電話機能実行中に外部より特定操作を行うことにより、音の鳴動を行い携帯電話の在処を知らせる機能に関するものである。
【背景技術】
【０００２】
従来の携帯電話装置では、携帯電話の在処を忘れその所在を確認するためには当該携帯電話へ電話をかけ、着信音の鳴動による探索を行っていた。
【０００３】
しかしながら、携帯電話の着信音を鳴動しない設定にしている場合も多く、この場合、当該携帯電話に電話をかけても着信音は鳴動しないため、携帯電話の在処を見つけることは難しかった。従来の携帯電話装置では、この問題を解決するため携帯電話機探索端末を準備する必要があり、この携帯電話機探索端末を紛失した場合は携帯電話装置を探索することは出来なかった。（例えば、特許文献１参照）
【特許文献１】特開２００２−１５２８４５号公報
【発明の開示】
【発明が解決しようとする課題】
【０００４】
本発明は、上記した従来技術の欠点を除くためになされたものであって、その目的とするところは、携帯電話機探索端末を持つことなく在処が不明である携帯電話を探索可能とするとともに、携帯電話端末への最小限の追加により探索可能とすることを目的とする。
【課題を解決するための手段】
【０００５】
本発明に係る携帯電話端末は、
着呼処理開始から所定時間呼び出した後に、相手側端末から入力したトーン信号が予め指定されている信号パターンと一致するか判定し、一致する場合に鳴動させることを特徴とする。
【発明の効果】
【０００６】
この発明によれば、在処が分からなくなった携帯電話を検索する際、特別な装置を必要とすることなく留守電機能を有効に利用することで探索することが可能となる。
【発明を実施するための最良の形態】
【０００７】
実施の形態１．
以下本発明を図面に示す実施例に基づいて説明する。図１は、本発明の一実施例に係る携帯電話装置の構成を示すブロック図である。同図に示す携帯電話装置１００は、アンテナ１１０、電波の送受信を行う送受信部１２０、携帯電話の制御を行う制御部１３０、着信時に音にて鳴動するための着信スピーカー１４０、着信時に振動にて鳴動するためのバイブレーター１５０、着信時に光にて鳴動するためのＬＥＤ１６０、および制御部１３０で必要となるデータなどを保持するためのＲＯＭ１７０とＲＡＭ１８０を有する。尚、図１に示す携帯電話装置は本発明を説明するためのものであり、その他に必要となるブロックが存在するが、ここでは表示しない。
【０００８】
通常着信待ち受け状態で着信した場合、制御部１３０により着信スピーカー１４０が鳴動し、着信状態にあることを所有者に通知する。このとき、設定によっては同時にバイブレーター１５０を鳴動し、ＬＥＤ１６０を点灯する。サイレントモードの場合は、制御部１３０により着信スピーカー１４０は鳴動せず、設定によってバイブレーター１５０が鳴動し、ＬＥＤ１６０が点灯し、着信状態にあることを所有者に通知する。この着信時に着呼スピーカー１４０以外の方法により所有者に着信状態にあることを通知する方法をサイレントモードやマナーモード等と一般的に呼ぶが、ここではサイレントモードと呼ぶ。
【０００９】
図２は、携帯電話装置の通常の留守電機能を説明する処理フロー図である。携帯電話装置の留守電機能について図１と図２を用いて説明する。本機能では、着信をした場合（Ｓ２００）、着呼処理（Ｓ２１０）として制御部１３０より着信スピーカー１４０、バイブレーター１５０、ＬＥＤ１６０を用いて所有者に着信状態であることを通知するが、一定時間または一定鳴動回数着信状態であることを通知した後、設定時間の経過判定（Ｓ２２０）により制御部１３０は自動的に着信処理を行い、留守電再生（Ｓ２３０）をＲＯＭ１７０内にある留守電音声の自動再生により行い、録音（Ｓ２４０）をＲＯＭ１７０またはＲＡＭ１８０を用いて開始する。
【００１０】
次に、本発明に係る携帯電話装置の特徴について説明する。図３は本発明に係る携帯電話装置における留守電機能を説明する処理フロー図である。
【００１１】
サイレントモードで、携帯電話が着信した場合（Ｓ３００）、着呼処理（Ｓ３１０）として制御部１３０よりバイブレーター１５０、ＬＥＤ１６０を用いて所有者に着信状態であることを通知するが、一定時間または一定鳴動回数着信状態であることを通知した後、設定時間の経過判定（Ｓ３２０）により制御部１３０は自動的に着信処理を行い、留守電再生（Ｓ３３０）をＲＯＭ１７０内にある留守電音声の自動再生により行う。この際、携帯電話装置は制御部１３０において指定ＤＴＭＦ（Ｄｕａｌ  Ｔｏｎｅ  Ｍｕｌｔｉ  Ｆｒｅｑｕｅｎｃｙ）信号パターンの受信確認（Ｓ３４０）を行い、指定ＤＴＭＦ信号パターンの受信を確認した場合は、移動機鳴動（Ｓ３６０）を制御部１３０より着信スピーカー１４０に対して行う。指定ＤＴＭＦ信号パターンの受信を確認しなかった場合は、ＲＯＭ１７０またはＲＡＭ１８０へ相手音声の録音を開始する（Ｓ３５０）。
【００１２】
指定のＤＴＭＦ信号（トーン信号）のパターンは、ＲＯＭ１７０もしくはＲＡＭ１８０内に登録される。この信号パターンは所有者によって変更可能であり、例えばダイアルロックのパスワード変更のように図１では説明しないキーパッドと表示画面等を用いる。
【００１３】
また、この記録は図４に示すように、ＤＴＭＦ信号のパターンと共に指定ＤＴＭＦ信号パターンの有効無効も記録する。
【００１４】
図５に示すように、有効でありなおかつＤＴＭＦ信号パターンの登録を行っている場合はＳ３６０の移動機鳴動処理を行い、無効である場合、もしくは、有効であってもＤＴＭＦ信号パターンの登録が行われていない場合はＳ３５０の録音処理を行う。
【００１５】
在処が不明となったサイレントモードである本装置を探索する場合、先ず、探索者が当該携帯電話へ電話をかける。本装置はバイブレーター１５０やＬＥＤ１６０による振動や光の鳴動を指定回数行った後、留守番電話再生を行うので、探索者は指定ＤＴＭＦ信号を発生させるために電話機のプッシュボタンを押下する。本装置は指定ＤＴＭＦ信号の受信を確認した場合、移動機の鳴動を着信スピーカー１４０により行うので、探索者は当該携帯電話を発見しやすくなる。
【００１６】
上述の装置は、装置がサイレントモードであることを前提としていたが、サイレントモードでなく着信において着信スピーカー１４０が鳴動する通常のモードであっても良い。これは、通常モードであっても着信スピーカー１４０から発する鳴動音が小音量である場合があり、この場合、探索者が容易に発見できない可能性があるからである。
【００１７】
実施の形態２．
上述の装置は、留守電再生を行った後に指定ＤＴＭＦ信号の確認を行っていたが、図６に示すとおり一定時間または一定鳴動回数着信状態であることを通知した後、設定時間の経過判定（Ｓ６２０）により制御部１３０は自動的に着信処理を行い、制御部１３０において指定ＤＴＭＦ信号パターンの受信確認を行い（Ｓ６３０）、この際、指定ＤＴＭＦ信号パターンの受信を確認した場合に移動機鳴動（Ｓ４６０）を制御部１３０より着信スピーカー１４０に対して行い、指定ＤＴＭＦ信号パターンの受信を確認しなかった場合は留守電再生（Ｓ４４０）をＲＯＭ１７０内にある留守電音声の自動再生により行うようにしてもよい。
【００１８】
実施の形態３．
予め音量別にＤＴＭＦ信号パターンを設定しておき、着呼処理開始から所定時間呼び出した後に、相手側端末から入力した信号が予め指定されている各ＤＴＭＦ信号パターンと一致するか判定し、一致する場合にその信号パターンに対応する音量に従って鳴動させることも有効である。
【００１９】
図７は、実施の形態３に係る音量別の指定ＤＴＭＦ信号パターンの例を示す図である。図のように音量大の信号パターンと音量小の信号パターンを設定しておく。
【００２０】
図８は、実施の形態３に係る処理フローを示す図である。Ｓ３４０で、音量大の信号パターンと一致した場合には、音量を大に設定した上で（Ｓ８００）、鳴動させる（Ｓ３６０）。また、音量小の信号パターンと一致した場合には、音量を小に設定した上で（Ｓ８１０）、鳴動させる（Ｓ８２０）。
【００２１】
状況に応じて、音量を特定して鳴動させることができる。例えば、騒音のある状況では、音量を大きくして鳴動させ、他人への配慮が必要な状況では、音量を小さくして鳴動させる。
【００２２】
実施の形態４．
予め音種別にＤＴＭＦ信号パターンを設定しておき、着呼処理開始から所定時間呼び出した後に、相手側端末から入力した信号が予め指定されている各ＤＴＭＦ信号パターンと一致するか判定し、一致する場合にその信号パターンに対応する音種に従って鳴動させることも有効である。
【００２３】
図９は、実施の形態４に係る音量別の指定ＤＴＭＦ信号パターンの例を示す図である。図のように音量Ａの信号パターンと音量Ｂの信号パターンを設定しておく。
【００２４】
図１０は、実施の形態４に係る処理フローを示す図である。Ｓ３４０で、音量Ａの信号パターンと一致した場合には、音種をＡに設定した上で（Ｓ１０１０）、鳴動させる（Ｓ１０２０）。また、音量Ｂの信号パターンと一致した場合には、音種をＢに設定した上で（Ｓ１０００）、鳴動させる（Ｓ３６０）。
【００２５】
状況に応じて、音種を特定して鳴動させることができる。例えば、騒音のある状況では、聞き分けやすい音種で鳴動させ、他人への配慮が必要な状況では、目立たない音種で鳴動させる。
【００２６】
尚、携帯電話端末はコンピュータとして動作可能であり、各要素はプログラムにより処理を実行することができる。また、プログラムを記憶媒体に記憶させ、記憶媒体からコンピュータに読み取られるようにすることもできる。
【図面の簡単な説明】
【００２７】
【図１】実施の形態１による携帯電話装置を示すブロック図である。
【図２】通常の留守番電話機能を示す処理フロー図である。
【図３】実施の形態１による携帯電話装置の処理フロー図である。
【図４】実施の形態１による指定ＤＴＭＦ信号パターンの例を示す図である。
【図５】信号パターンの判定処理フローを示す図である。
【図６】実施の形態２による携帯電話装置の処理フロー図である。
【図７】実施の形態３による指定ＤＴＭＦ信号パターンの例を示す図である。
【図８】実施の形態３による携帯電話装置の処理フロー図である。
【図９】実施の形態４による指定ＤＴＭＦ信号パターンの例を示す図である。
【図１０】実施の形態４による携帯電話装置の処理フロー図である。
【符号の説明】
【００２８】
１００  携帯電話装置、１１０  アンテナ、１２０  送受信部、１３０  制御部、１４０  着信スピーカー、１５０  バイブレーター、１６０  ＬＥＤ、１７０  ＲＯＭ、１８０  ＲＡＭ。
【図１】
2005328335.tif 000003
【図２】
2005328335.tif 000004
【図３】
2005328335.tif 000005
【図４】
2005328335.tif 000006
【図５】
2005328335.tif 000007
【図６】
2005328335.tif 000008
【図７】
2005328335.tif 000009
【図８】
2005328335.tif 000010
【図９】
2005328335.tif 000011
【図１０】
2005328335.tif 000012